(57)【要約】【課題】通常のムーブメントを組み込めて、外周方向の小型化ができる時計を提供すること。【解決手段】ワンピース型の外装ケースの底部に、おしどり７の巻真外し部９を押すことが可能な外部操作ボタン２を設けた。これにより、通常のムーブメントと同じ方向から外部操作ボタン２を操作することで、おしどり７の巻真外し部９が押圧されるようになり、おしどり７と巻真４との係合が外れるようになる。従って、おしどりレバー等の特別な部品を備えたムーブメントでない通常のムーブメントを使用できる。また、突出したおしどりレバーのためのスペースやおしどりレバーを押し過ぎないようにする規制構造が文字板外周側に必要ないので、小型化できる。【選択図】 図３
2006010574.tif 000002
【特許請求の範囲】
【請求項１】
ワンピース型の外装ケースと、
前記外装ケースに収められるムーブメントと、
前記外装ケースを貫通して前記ムーブメントに挿入される巻真と、
前記巻真に係合するおしどりとを備え、
前記外装ケースの底部には、前記おしどりの巻真外し部を外部から押圧可能な外部操作ボタンが設けられていることを特徴とする時計。
【請求項２】
請求項１に記載の時計において、
前記おしどりの前記巻真との係合部は、当該巻真に対して文字板とは反対側に位置しているとともに、この係合部と前記巻真外し部との間には、当該おしどりの回動軸が遊嵌され、このおしどりは、前記巻真外し部が前記外部操作ボタンによって前記文字板側に押圧されると、前記回動軸を支点に前記係合部が前記文字板とは反対側に動いて、前記巻真との係合が解除されることを特徴とする時計。
【請求項３】
請求項１または請求項２のいずれかに記載の時計において、
前記外部操作ボタンの外部入力面が、前記ワンピース型の外装ケースの外部表面からくぼんだ位置にあることを特徴とする時計。
【請求項４】
請求項１〜３のいずれかに記載の時計において、
前記巻真外し部は、湾曲した長孔状であることを特徴とする時計。
【発明の詳細な説明】
【技術分野】
【０００１】
本発明は、ワンピース型の外装ケースを備える時計に関する。
【背景技術】
【０００２】
時計の外装ケースには、裏蓋を備える外装ケースと裏蓋に相当する部分が一体に形成されたワンピース型の外装ケースとがある。ワンピース型の外装ケースは、部品点数が少ない、外観上もすっきりしている、あるいは汚れが裏蓋と外装ケースとの間に蓄積しにくいなどの理由で使用されている。
これらの外装ケースにはムーブメントが収められ、アナログ式時計の場合は、竜頭を備えた巻真が、外部から外装ケースを通してムーブメントに挿入される。そして、挿入された巻真には、おしどりが係合されている。
【０００３】
ところで、ムーブメントの修理等で、ムーブメントを外装ケースから取り外す必要がある時には、外装ケースの形態にかかわらず、巻真を抜いた後にムーブメントを取り出さなければならない。また、巻真自体の交換が必要な場合もある。そのため、おしどりに設けられた巻真外し部が外力によって押されると、おしどりと巻真との係合が解除され、巻真が抜ける機構となっている。
【０００４】
具体的に、裏蓋付の外装ケースでは、おしどりの巻真外し部は、裏蓋を外すことで押圧できるように、文字板や指針とは反対側（裏蓋側）に設けられている。文字板側からも押せるようにすることも可能であるが、文字板の領域に押圧操作用の穴を設けるのは外観上好ましくなく、巻真外し部を押す際に文字板に傷をつける可能性もある。そして、裏蓋を外して、裏蓋側の巻真外し部を押しながら巻真を抜いた後にムーブメントを取り外す。
【０００５】
一方、裏蓋のないワンピース型の外装ケースの場合は、カバーガラスを押さえるガラス縁が外れるようになっており、文字板側から巻真外し部を押すようになっている。つまり、文字板側の文字板外周部で、巻真外し部を押す工夫がされている。
例えば、文字板に隠れたおしどりの巻真外し部を押すことのできるおしどりレバーをムーブメントに設けて、おしどりレバーの一端を文字板外の外周部に突出させ、文字板側からおしどりレバーの一端を操作して巻真外し部と巻真との係合を外す方法が知られている（例えば、特許文献１参照）。
【０００６】
【特許文献１】特開平７−２７０５４７号公報（第２〜第３頁、図１）
【発明の開示】
【発明が解決しようとする課題】
【０００７】
しかしながら、特許文献１によれば、ワンピース型の外装ケースに収容されるムーブメントとして、おしどりレバーが必要であるから、裏蓋付きの外装ケースに収容されているような通常のムーブメントを、そのままワンピース型の外装ケース用のムーブメントとして流用できないという問題がある。さらに、突出したおしどりレバーのためのスペースやおしどりレバーを押し過ぎないようにする規制構造を文字板外周側に設けなければならず、外周側に余分なスペースを必要とし、小型化に支障を来たすなどの問題がある。
【０００８】
本発明の目的は、通常のムーブメントを組み込めて、小型化ができる時計を提供することにある。
【課題を解決するための手段】
【０００９】
本発明の時計は、ワンピース型の外装ケースと、前記外装ケースに収められるムーブメントと、前記外装ケースを貫通して前記ムーブメントに挿入される巻真と、前記巻真に係合するおしどりとを備え、前記外装ケースの底部には、前記おしどりの巻真外し部を外部から押圧可能な外部操作ボタンが設けられていることを特徴とする。
【００１０】
この発明によれば、ワンピース型の外装ケースの底部には、前記おしどりの巻真外し部を外部から押すことが可能な外部操作ボタンが設けられているので、通常のムーブメントと同じ方向から外部操作ボタンを操作することでおしどりの巻真外し部が押圧されるようになり、おしどりと巻真との係合が外れるようになる。従って、ワンピース型の外装ケースを用いた場合でも、おしどりレバー等の特別な部品を備えたムーブメントを作製する必要がなく、通常のムーブメントが組み込まれるようになる。さらに、突出したおしどりレバーのためのスペースやおしどりレバーを押し過ぎないようにする規制構造が文字板外周側に必要ないので、小型化が行いやすい。
【００１１】
本発明では、前記おしどりの前記巻真との係合部は、当該巻真に対して文字板とは反対側に位置しているとともに、この係合部と前記巻真外し部との間には、当該おしどりの回動軸が遊嵌され、このおしどりは、前記巻真外し部が前記外部操作ボタンによって前記文字板側に押圧されると、前記回動軸を支点に前記係合部が前記文字板とは反対側に動いて、前記巻真との係合が解除される構成が好ましい。
この発明では、回動軸を支点に文字板とは反対側から巻真外し部を押圧することで、係合部が底部側に確実に外れる。
【００１２】
本発明では、前記ボタンの外部入力面が、前記ワンピース型の外装ケースの外部表面からくぼんだ位置にある構成が好ましい。
この発明では、ボタンの外部入力面がワンピース型の外装ケースの外部表面よりムーブメント側に位置しているので、通常の使用状態では外部入力面に触れることがなく、誤ってボタンを押す等の誤操作がなくなる。
【００１３】
本発明では、前記巻真外し部は、湾曲した長孔状である構成が好ましい。
この発明では、ムーブメントを外装ケースに組み込む際におしどりが動いて、巻真外し部と外部操作ボタンとの位置が多少ずれた状態で組み込んでも、巻真外し部が孔状であるので、孔に外部操作ボタンが収まることで相互の位置決めが確実に行われるようになる。
また、時刻修正等で巻真を引いた際におしどりが動いても、外部操作ボタンは湾曲した長孔状の巻真外し部沿いに収まった状態に維持され、おしどりは外部操作ボタンによって邪魔されることなく動ける。
【発明の効果】
【００１４】
本発明によれば、通常のムーブメントを組み込めて、小型化ができる時計を提供できるという効果がある。
【発明を実施するための最良の形態】
【００１５】
以下、本発明の実施形態を図面に基づいて説明する。
図１〜図３に、本実施形態に係る時計１の外部操作ボタン２付近の平面図、断面図、外部操作ボタン２の拡大断面図を示した。
図１、図２、および図３において、ワンピース型の外装ケース３の外部から貫通挿入された巻真４が、ムーブメント５の地板６に配置されたおしどり７と係合部８で文字板１１の反対側で係合されている。おしどり７は、回動軸としてのおしどりピン１０に遊嵌されており、かんぬき２０と図示しない裏押さえとによって姿勢が保持されている。
おしどり７には、巻真４との係合を解除するための巻真外し部９が設けられている。巻真外し部９は、おしどりピン１０に対して係合部８とは反対側に設けられている。この巻真外し部９には、外部から押圧可能な外部操作ボタン２の先端部１４が当接されている。また、巻真外し部９の形状は、自身の回動軌道に沿って湾曲した長孔状の溝とされ、おしどり７がおしどりピン１０を中心に回動しても、その回動が外部操作ボタン２の先端部１４によって妨げられないようになっている。
【００１６】
外部操作ボタン２は、以下のように配置されている。
ワンピース型の外装ケース３の裏蓋に相当する底部３ａには、ムーブメント５がセットされた状態でおしどり７の巻真外し部９を押すことのできる位置に丸穴１２が開けられている。その丸穴１２には、防水パイプ１３が嵌め込まれ、防水パイプ１３の中に外部操作ボタン２がセットされている。
【００１７】
以下、図３を用いて外部操作ボタン２を詳しく説明する。
図３において、外部操作ボタン２には、おしどり７の巻真外し部９に当接される先端部１４、外部操作ボタン２の抜け落ち防止のためのフランジ１５、パッキン１８が装着されるパッキン用溝１６、および凹部３０を有する外部入力面１７が形成されている。外部操作ボタン２は、前述した裏押さえによりおしどりを介して底部３ａ側に付勢されている。
外部操作ボタン２の材質には、ステンレスを使用した。なお、外部操作ボタン２の材質として、おしどり７が押せるものであれば、セラミックや合成樹脂等どんなものであってもよい。パッキン１８には、ゴム、合成樹脂等を使用できる。ガイドリング１７および防水パイプ１３の材質には、ステンレスを使用した。
【００１８】
以上の構成では、外部操作ボタン２のパッキン用溝１６にパッキン１８を装着し、防水パイプ１３に外装ケース３の内側から、外部操作ボタン２をガイドリング１９と防水パイプ１３とに挿入する。このとき、外部操作ボタン２が完全に挿入されると、凹部３０を有した外部入力面１７は、外装ケース３の外部表面３１よりくぼんだ位置となる。
この後、ムーブメントを、巻真外し部９の溝に外部操作ボタン２の先端部１４を合わせて、外装ケース３にセットする。次に、巻真４をおしどり７と係合するまで、外装ケース３を通して挿入する。最後に、カバーガラスとガラス縁を取り付けて時計１を得る。
【００１９】
外部操作ボタン２を押すことによる各部の動きは以下の通りである。
外部操作ボタン２を押すと、おしどり７の巻真外し部９が文字板１１側に押され、おしどりピン１０を支点にして、おしどり７が傾いて（二点鎖線で示した）係合部８が巻真４から離れ、巻真４がムーブメント５から外装ケース３を通して抜ける状態になる（図３の拡大断面図中の矢印参照）。
外部操作ボタン２は、前述の裏押さえによりおしどり７を介して外装ケース３の底部３ａ側に付勢されているので、押すことをやめると元の位置に戻る。
【００２０】
なお、図１中に示した、かんぬき２０、規正レバー２１、つづみ車２２、日の裏車２３、筒車２４、二番車２５、三番車２６、および四番車２７については、よく知られた配置と働きをするので説明は省略する。
【００２１】
このような本実施形態によれば、以下の効果がある。
（１）ワンピース型の外装ケース３の底部３ａには、前記おしどり７の巻真外し部９を外部から押すことが可能な外部操作ボタン２が設けられているので、通常のムーブメント５と同じ方向から外部操作ボタン２を操作することでおしどり７の巻真外し部９を押圧でき、おしどり７と巻真４との係合を外すことができる。従って、おしどりレバー等の特別な部品を備えたムーブメントを作製する必要がなく、ワンピース型の外装ケース３であっても通常のムーブメント５を組み込むことができる。さらに、突出したおしどりレバーのためのスペースやおしどりレバーを押し過ぎないようにする規制構造が文字板外周側に必要ないので、小型化できる。
【００２２】
（２）ムーブメント５を外装ケース３に組み込む際におしどり７が動いて、巻真外し部９と外部操作ボタン２との位置が多少ずれた状態で組み込んでも、巻真外し部９が孔状であるので、孔にガイドされるようにして外部操作ボタン２を収めることができ、相互の位置決めを確実に行える。
また、時刻修正等で巻真４を引いた際におしどり７が動いても、外部操作ボタン２の先端部１４は湾曲した長孔状の巻真外し部９内に位置していることになるので、おしどり７を外部操作ボタン２によって邪魔されることなく動かすことができる。
【００２３】
（３）おしどりピン１０を支点に文字板１１とは反対側から巻真外し部９を押圧することで、係合部８を底部３ａ側に確実に外すことができる。
【００２４】
（４）外部操作ボタン２の外部入力面３０がワンピース型の外装ケース３の外部面３１よりくぼんだムーブメント５側に位置しているので、誤って外部操作ボタン２を押す等の誤操作をなくすことができる。
【００２５】
（５）外部操作ボタン２がパッキン１８を備えているので、外部から外部操作ボタン２を通しての汗や水の侵入を防ぐことができる。
【００２６】
（６）巻真４を通じてムーブメント５に進入する静電気は、それぞれ金属製のおしどり７、外部操作ボタン２、防水パイプ１３、ガイドリング１９、および外装ケース３を通じて人体に逃げるようになり、静電気対策ができる。
また、外装ケース３が合成樹脂製であっても、その他の部材が導通部材であれば、静電気はやはり防水パイプ１３を通じて逃げるようになり、静電気対策上何ら問題とならない。
【００２７】
なお、本発明は前述の実施形態に限定されるものではなく、本発明の目的を達成できる範囲での変形、改良等は本発明に含まれるものである。
巻真外し部９は、断面凹状の溝でなくともよく、外部操作ボタン２の先端部１４で押すことができて、先端部１４をガイドできれば、孔状であってもよい。この場合、先端部１４は例えば段付形状となる
また、前記実施形態では、裏押さえの付勢によりおしどり７を介してもとの位置に戻るようになっていたが、加えてフランジ１５とガイドリング１９との間にばねを入れて確実に戻すこともできる。その際は、ばねとガイドリング１９とを、導電性接着剤で固定するとよい。こうすることで、ばねとガイドリング１９との係止構造を簡単にできるうえ、静電気対策にもなる。
さらに、本発明は裏蓋を備えるケースにも応用でき、裏蓋に外部操作ボタンを設ければ、巻真の交換だけが必要なときなど、裏蓋を外さずに交換が可能となる。
【００２８】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２９】
【図１】本発明の一実施形態にかかる時計の部分平面図。
【図２】本発明の一実施形態にかかる時計の部分断面図。
【図３】本発明の一実施形態にかかる時計のボタン部分の拡大断面図。
【符号の説明】
【００３０】
１…時計、２…外部操作ボタン、３…ワンピース型の外装ケース、３ａ…（外装ケースの）底部、４…巻真、５…ムーブメント、６…地板、７…おしどり、８…係合部、９…巻真外し部、１０…回動軸としてのおしどりピン、１１…文字板、３０…（外部操作ボタンの）外部入力面、３１…（外装ケースの）外部表面。
【図１】
2006010574.tif 000003
【図２】
2006010574.tif 000004
【図３】
2006010574.tif 000005